(57)【要約】      （修正有）【課題】一般家庭及びコンビニエンスストアー等において、凶悪強盗犯から人身を守り、撃退及び、犯人早期逮捕に有効な強盗犯撃退装置を提供する。【解決手段】高圧窒素ガス充填ボンベイ本体１に接続された減圧ベン４で圧力調整された無毒の窒素ガスを各所に配備した各種エアーガンの噴射装置１７，２１から危険を察知した際、セットされた各バルブ１４等を開閉して粉体あるいは着色した液体を混合高圧窒素ガスを強盗犯２７に瞬時に噴射し、同時に警報も発し、脅え驚かせ撃退、早期犯人逮捕に協力、また入り口等に強盗犯撃退装置設置状況の看板３４を掲げ、犯行の実行を諦めることを促し、地域住民の不安解消が可能となる。【選択図】図２
0003153267.tif 000002
【実用新案登録請求の範囲】
【請求項１】
一般住宅の市民、コンビニスエンストアーの従業員を、凶悪強盗犯から身を守り、即時通報、犯人逮捕の機会を即す、無毒の高圧窒素ガスに溶剤を混合し使用したことを特徴とした、強盗犯撃退装置。
【請求項２】
前期の装置は噴射各種機器設備、警報設備を備えたことを特徴とする請求項１の記載の強盗犯撃退装置である。
【考案の詳細な説明】
【技術分野】
【０００１】この考案は、一般家庭及びコンビニエンスストアー従業員等の凶悪強盗犯から人身を守り、撃退及び、犯人早期逮捕の装置に関する。
【背景技術】
【０００２】従来のコンビニエンスストアー等の防犯は凶器で人が脅かされた場合、なすがままに現金を渡すか格闘するかで、命を落す可能性が大きく非常に危険を伴い、また犯人逮捕は防犯カメラの犯人撮影で、犯人が逃走した後、写真を確認して犯人を特定するか、逃走する犯人に、カラーボールを投げ当て、衣服に印を付けてこれを目印に追跡あるいは聞き込みで犯人逮捕のきっかけを作っていた。
【考案の開示】
【考案が解決しようとする課題】
【０００３】しかしながら、以上の方法では、一般家庭住人及びコンビニエンスストアー従業員等に凶器類等突きつけられ、命を落す危険が及んでも抵抗する術が無く、また犯人逮捕に時間を要していた。したがって近隣の住民あるいは買い物客等の不安を助長し、店の損失を防ぐのは困難であった。
そこで、この考案は、犯人を一瞬、怯ませ、危機を地域住民あるいは、来客者、従業員に危険を知らせ、より早く危機の通報を可能とし、さらに逃走する犯人の肉体に苦痛を与え目印を付け、逃走を困難にして即時犯人逮捕のきっかけを提供することを課題とする。【０００４】  以上の課題を解決するために、第一考案は、一般家庭の玄関、あるいは店内のレジや店内出入り口等、各箇所に無毒で着色溶剤を混合した高圧窒素ガスを噴射使用したことを特徴とした強盗犯撃退装置また第二考案は、噴射各種機器を各箇所に配備し、連動して危険をいち早く知らせる、警報設備を備えたことを特徴とした、強盗犯撃退装置である。
【考案の効果】
【０００５】第一考案また第２考案によれば、無毒の高圧窒素ガス充填ボンベイを使用した強盗犯撃退装置で、凶器を持った凶悪犯を、各箇所に配備したガス噴射ノズルから、危険を察知したら、タイミングを計り店員が手動、あるいは足ふみ式のバルブを開閉、無毒の減圧された０．７〜１．０メガパスカルの高圧窒素ガスを顔面あるいは凶器めがけて噴射して
同時に警報を発し怯ませ驚かせて油断を見てその場を逃れ、即時通報、危険から回避、犯人が出入り口から逃走の際、扉上部あるいは側面に取り付けたノズルから着色等の溶剤を混合した高圧窒素ガスを吹き付け目印付け、逃走する犯人早期逮捕を可能にして、付近住民の不安が早期に解消できる、また入り口に「強盗犯撃退装置作動中」の表示を掲げることにより強盗犯の実行を抑制促す可能性をもたらす。
【考案を実施するための最良の形態】
【０００６】  この考案の一実施形態を、図１、２に示す。
強盗犯撃退装置のエネルギー源は高圧窒素ガス充填ボンベイ本体１で、これに内臓のハンドル式バルブ２の先に接続金具３で安全な圧力に調整する減圧ベン本体４を取りつける。一次側圧力計６でガス充填量を確認して二次側圧力計７を確認しながら調整ハンドル５を回し比較的安全な圧力０、７〜１、０メガパスカルの圧力に調整をする、調整した高圧窒素ガスを接続用袋ナット８を介してストップボールバルブ９に通気する、通気された高圧窒素ガスを接続されたストップボールバルブ９の開閉ハンドル１０を開いて通気パイプ１１に通気し、各機器に接続された通気パイプ１１を通して通気する。
店内レジ等において強盗犯の凶器２７で、店員等２８が脅かされた場合、店内のレジに、凶悪犯等に密かに粉体等吸引型エアーガン本体１７をセットし、危険感知に応じて足で踏み込むことで内臓のバルブを開閉するフットバルブ本体１４を踏み、バルブが開き、吸引口１５から吐出口１６に高圧窒素ガスを通気させノズル１８から噴射、そのさい、ダクトホース１９で接続されたダストバック２０から封入された粉体等を吸入、混合して噴出し、強盗犯２７を目潰し脅かし危機を回避、撃退を可能とすると同時にフットバルブ本体１４にセットした、自己保持式のリミットスイッチ２９が作動、ＯＮとなり室内に設けられた電源コンセント３０に差しこまれたプラグ３１で接続された電線３２からさらに、リミットスイッチ２９から電線３２で接続された警報器３３に通電、警報音を発し、来客者に危機を知らせ、安全な場所に避難を促し、また強盗犯２７が出入り口から逃走する際、タイミングを図り店員等２８がロック用ボールバルブ１２のロックハンドル１３を開き出入り口にセットした、圧搾ガスを利用して液体等を噴出できるエアーブラストガン本体２１に通気管１１を介して高圧窒素ガスを通気、開放型容器２３に赤い色素等を混合し満たした不凍液２４を吸気管２５から送気管２６を通して噴射ノズル２２から逃走犯に吹き付け着色し、早期強盗犯逮捕に協力可能とする。また出入り口に「強盗犯撃退装置作動中」の看板等３４を表示、犯行の実行抑制を促すことが可能である。【０００７】「実施形態の効果」
この実施形態によれば、最近の不況を反映し、凶悪事件が多く発生しており、一般家庭あるいはコンビニエンスストアー等の人身を守り金融機関等の被害を減らし、凶悪犯の生命の安全も図りつつ、早期凶悪犯の逮捕に協力、地域住民の不安解消にも協力可能である。
【産業上の利用可能性】
【０００８】このシステムは起動操作方法を改良することにより、金融機関の被害、有害鳥獣類からの農作物被害から守ることに利用可能である。
【図面の簡単な説明】
【０００９】
【図１】この考案の一実施形態を示す利用実態図である
【図２】この考案の一実施形態を示す利用詳細系統図
【００１０】    １  高圧窒素ガス充填ボンベイ本体    ２  ハンドル式バルブ    ３  接続金具    ４  減圧ベン本体    ５  調整ハンドル    ６  一次側圧力計    ７  二次側圧力計    ８  接続用袋ナット    ９  ストップボールバルブ    １０  開閉ハンドル    １１  通気パイプ    １２  ロック用ボールバルブ    １３  ロックハンドル    １４  フットバルブ    １５  吸引口    １６  吐出口    １７  粉体等吸引型エアーガン本体    １８  ノズル    １９  ダクトホース    ２０  ダストバック    ２１  エアーブラストガン本体    ２２  噴射ノズル    ２３  開放型容器    ２４  不凍液    ２５  吸気管    ２６  送気管    ２７  強盗犯    ２８  店員等    ２９  リミットスイッチ    ３０  電源コンセント    ３１  プラグ    ３２  電線    ３３  警報器    ３４  強盗犯撃退装置作動中看板
【図１】
0003153267.tif 000003
【図２】
0003153267.tif 000004
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
一般家庭住民及びコンビニエンスストアーの従業員等を、凶悪強盗犯から身を守り、即時通報するため、圧縮気体で無毒の高圧窒素ガスを充填したボンベイに減圧ベンを装着して、０．７〜１．０メガパスカルの安全圧に調整された窒素ガスを噴射することを特徴とする、強盗犯撃退装置。
【請求項２】
前記の装置は、ボンベイに装着した減圧ベンから通気パイプで各所にセットされたエアーガンにフットバルブあるいはストップバルブで接続、作動させ混合した粉体、着色不凍液を噴射し同時に屋外にセットした警報装置を鳴動、また入り口に強盗犯撃退装置作動中の看板を掲げたことを特徴とする請求項１の記載の強盗犯撃退装置。
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
一般家庭住民及びコンビニエンスストアーの従業員等を、凶悪強盗犯から身を守り、即時通報するため、圧縮気体で無毒の高圧窒素ガスを充填したボンベイに減圧ベンを装着して、０．７〜１．０メガパスカルの安全圧に調整された窒素ガスを噴射することを特徴とする、強盗犯撃退装置。
【請求項２】
前記の装置は、ボンベイに装着した減圧ベンから通気パイプで各所にセットしたフットバルブに粉体等吸引型エアーガン本体を接続、あるいはロック用ボールバルブに液体等噴射可能なエアーブラストガン本体を接続作動させ、メリケン粉等を混合した粉体、着色不凍液を噴射し同時に屋外にセットした警報装置を鳴動、また入り口にプラスチック製板の裏面に両面テープを施し、壁ドアー面に接着可能とした強盗犯撃退装置作動中の文字を印刷した看板を掲げたことを特徴とする請求項１の記載の強盗犯撃退装置